(57)【要約】
【課題】アロマ線香用固定具を使用した場合に、灰の飛散が起こり、火災や火傷の危険が生じ、美観が損なわれ、途中で火が消えてしまうおそれがある問題を解消する。
【解決手段】本考案のアロマ線香セットは、一以上の挿入口２と、側面部３と、底部４とを備え、側面部３に一以上の開口部５を有するアロマ線香用容器１と、アロマ線香１１を固定するための固定具６とを含む。
【選択図】図４
0003100536.tif 000002
【実用新案登録請求の範囲】
【請求項１】
　一以上の挿入口と、側面部と、底部とを備え、前記側面部に一以上の開口部を有するアロマ線香用容器。
【請求項２】
　前記挿入口の数は一であり、前記開口部の数は二以上であり、前記開口部の直径は３乃至８ミリメートルであり、かつ、前記開口部から底部までの距離は５乃至１０センチメートルである、請求項１に記載のアロマ線香用容器。
【請求項３】
　前記挿入口から前記底部までの距離は２８センチメートル以上である、請求項１又は２に記載のアロマ線香用容器。
【請求項４】
　一以上の挿入口と、側面部と、底部とを備え、前記側面部に一以上の開口部を有するアロマ線香用容器と、アロマ線香を固定するための固定具とを含むアロマ線香セット。
【請求項５】
　前記固定具が紐により前記アロマ線香用容器の側面部にぶら下げられた、請求項４に記載のアロマ線香セット。
【請求項６】
　前記固定具はキーリングである、請求項４又は５に記載のアロマ線香セット。
【請求項７】
　前記固定具はアロマ線香を挟んで固定し得る把持部と、前記挿入口に係合し得る支持部とを備えている、請求項４又は５に記載のアロマ線香セット。
【請求項８】
　前記固定具は前記挿入口に嵌合し得る栓である、請求項４に記載のアロマ線香セット。
【請求項９】
　前記固定具が、前記アロマ線香用容器の内部と外部の空気を入れ替えるための一以上の通気孔を有する、請求項８に記載のアロマ線香セット。
【請求項１０】
　アロマ線香を含み、前記固定具に前記アロマ線香の端部が挿入され、前記固定具が前記挿入口に嵌合した、請求項８又は９に記載のアロマ線香セット。
【請求項１１】
　アロマ線香を挟んで固定し得る把持部と、アロマ線香用容器の挿入口に係合し得る支持部と、前記把持部を操作するための操作部とを備えた、アロマ線香用固定具。
【請求項１２】
　アロマ線香用容器の内部と外部の空気を入れ替えるための一以上の通気孔と、アロマ線香を挿入することにより固定し得る固定用穴とを備え、前記アロマ線香用容器の挿入口に嵌合し得る栓である、アロマ線香用固定具。
【請求項１３】
　前記通気孔の少なくとも一つが前記アロマ線香用容器の挿入口に接しない部分に設けられている、請求項１２に記載のアロマ線香用固定具。
【請求項１４】
　前記通気孔の少なくとも一つが前記アロマ線香用容器の挿入口に接する部分に設けられている、請求項１２又は１３に記載のアロマ線香用固定具。
【考案の詳細な説明】
【技術分野】
【０００１】
　本考案は、アロマテラピー（アロマ）用具に関し、特に、アロマ線香及びこれを使用するための用具に関する。
【背景技術】
【０００２】
　近年、ミント等の芳香が心身をリラックスさせる効果をもたらすことから、室内にて芳香性の植物から抽出した精油（エッセンシャルオイル）を香炉等により揮発させるアロマテラピーが若い女性を中心に行われている。
【０００３】
　アロマテラピーの方法の一つとして、精油を配合したアロマテラピー用の線香（アロマ線香）に点火して香を焚く方法がある。この方法においては、精油をそのまま取り扱う必要がなく、また、専用の香炉を予め購入しておく必要もないため、利用者にとって簡便な方法であるといえる。
【０００４】
　アロマ線香により香を焚く際には、何らかの方法によりアロマ線香を固定しておかなければ、火災や火傷の原因になり危険である。しかしながら、一般のろうそく立てや葬祭用の線香立て等にアロマ線香を立ててアロマテラピーを行ったのでは、見た目が悪く、アロマテラピーによる効果をも減少させかねない。そこで、従来よりアロマ線香用の固定具として、図１１乃至１３に示すものが販売されている。
【０００５】
　図１１乃至１３に示す固定具は、いずれも利用者がアロマ線香を所定の箇所に挿入することによりこれを固定するものである。図１１乃至１３に示す固定具により香を焚く場合には、それぞれ以下の問題点があった。
【０００６】
　図１１の固定具においては、アロマ線香３１が燃えた後の灰は受け皿３２に落ちるようにされている。そのため、風が吹いた場合には受け皿３２上の灰が飛び散って部屋を汚してしまうおそれがある。また、灰の飛散を防止するため、受け皿３２上の灰をこまめに捨てる必要がある。
【０００７】
　次に、図１２の固定具においてはアロマ線香３３の重みにより固定具自体が倒れるおそれがあり、固定具が倒れた場合には火災や火傷の原因になり得る。このように、図１２の固定具の使用は危険である上、その使用状態の外観は葬祭用線香立ての使用状態の外観に類似している。そのため、図１２の固定具は美観の面でも他のタイプの固定具に劣っているといえる。
【０００８】
　最後に、図１３の固定具においては、受け皿３４が四方の壁によりアロマ線香３５を囲うように構成されているため、アロマ線香３５の灰が飛び散るおそれは小さい。しかしながら、アロマ線香３５はアロマ線香固定用穴３６に挿入されることにより横向けに固定されているため、アロマ線香固定用穴３６の直径がアロマ線香３５の終端部３７の直径よりも大きい場合には、アロマ線香３５は完全に固定されずにぐらつくことになる。アロマ線香３５の固定が完全ではない場合に、図１３の固定具全体に振動が与えられると、アロマ線香３５は受け皿３４の底部に接触して火が消えてしまうおそれがある。
【特許文献１】実登第３０５３３３６号公報
【考案の開示】
【考案が解決しようとする課題】
【０００９】
　本考案が解決しようとする問題点は、従来のアロマ線香用固定具を使用した場合に、灰の飛散が起こり、火災や火傷の危険が生じ、美観が損なわれ、途中で火が消えてしまうおそれがある点である。
【課題を解決するための手段】
【００１０】
　本考案によるアロマ線香用容器は、一以上の挿入口と、側面部と、底部とを備え、前記側面部に一以上の開口部を有することにより、上記課題を解決する。
【００１１】
　前記挿入口の数は一であり、前記開口部の数は二以上であり、前記開口部の直径は３乃至８ミリメートルであり、かつ、前記開口部から底部までの距離は５乃至１０センチメートルであってもよい。
【００１２】
　前記挿入口から前記底部までの距離は２８センチメートル以上であってもよい。
【００１３】
　本考案によるアロマ線香セットは、一以上の挿入口と、側面部と、底部とを備え、前記側面部に一以上の開口部を有するアロマ線香用容器と、アロマ線香を固定するための固定具とを含むことにより、上記課題を解決する。
【００１４】
　前記固定具は紐により前記アロマ線香用容器の側面部にぶら下げられていてもよい。
【００１５】
　前記固定具はキーリングであってもよい。
【００１６】
　前記固定具はアロマ線香を挟んで固定し得る把持部と、前記挿入口に係合し得る支持部とを備えていてもよい。
【００１７】
　前記固定具は前記挿入口に嵌合し得る栓であってもよい。
【００１８】
　前記固定具は、前記アロマ線香用容器の内部と外部の空気を入れ替えるための一以上の通気孔を有してもよい。
【００１９】
　前記アロマ線香セットは、アロマ線香を含み、前記固定具に前記アロマ線香の端部が挿入され、前記固定具が前記挿入口に嵌合していてもよい。
【００２０】
　本考案によるアロマ線香用固定具は、アロマ線香を挟んで固定し得る把持部と、アロマ線香用容器の挿入口に係合し得る支持部と、前記把持部を操作するための操作部とを備えている。
【００２１】
　本考案による別のアロマ線香用固定具は、アロマ線香用容器の内部と外部の空気を入れ替えるための一以上の通気孔と、アロマ線香を挿入することにより固定し得る固定用穴とを備え、前記アロマ線香用容器の挿入口に嵌合し得る栓である。
【００２２】
　前記通気孔の少なくとも一つは前記アロマ線香用容器の挿入口に接しない部分に設けられていてもよい。
【００２３】
　前記通気孔の少なくとも一つは前記アロマ線香用容器の挿入口に接する部分に設けられていてもよい。
【考案の効果】
【００２４】
　本考案のアロマ線香用容器及びアロマ線香セットによれば、アロマ線香の灰の飛散及び火災や火傷の危険が防止される。また、本考案のアロマ線香用容器及びアロマ線香セットは十分な美観を有し、アロマ線香の火が途中で消えてしまう事態を防止する。
【考案を実施するための最良の形態】
【００２５】
　以下、図面を参照しながら本考案の実施の形態について説明する。
【実施例１】
【００２６】
　図１は、本考案によるアロマ線香用容器の外観を示す。アロマ線香用容器１は、挿入口２と、側面部３と、底部４を備えた容器であり、側面部２の一以上の点に開口部５が設けられている。
【００２７】
　アロマ線香用容器１は、点火したアロマ線香を挿入するための挿入口２の他に、アロマ線香から生ずる芳香を伴う煙を逃がすための開口部５を設けたことを特徴としている。
【００２８】
　図１においては、開口部５は側面部３の下方に設けられているが、開口部５は側面部３の上方又は中程に設けられてもよい。また、芳香を逃がす効果を高めるため、開口部５は複数であってもよい。図１においては、開口部５は円形であるが、正方形、三角形、星型等の他の形状であってもよい。
【００２９】
　アロマ線香用容器１の材質は、線香の熱により容易に溶解又は破損しないものであればよく、例えばガラス、プラスチック、金属、木材又はこれらの組み合わせが用いられる。
【００３０】
　図１において、アロマ線香用容器１は、市販されているビール、ワイン等の瓶と同様に、底部４が円形であって、側面部３が一定の高さから円形の挿入口２に向かってくびれた形状を有する。しかしながら、アロマ線香用容器１の形状は、挿入口２及び開口部５を有するものであれば、図１に示すものには限られず、任意の形状が用いられ得る。また、装飾的効果を高めるため、アロマ線香用容器１は透明色を含む青、赤、緑等の任意の色彩に着色され、アロマ線香用容器１の表面には任意の図形、文字等が平面的又は立体的に付加され得る。
【００３１】
　図２Ａは、図１のアロマ線香用容器１と共に使用されるアロマ線香固定具６を示す。アロマ線香固定具６は、キーホルダーに使用される汎用のキーリング７に、輪を作るように紐８を結び付けたものである。図２Ａにおいて、キーリング７は細い金属を二重螺旋状に重ね合わせたものである。アロマ線香固定具６は、キーリング７の二重になった金属の間にアロマ線香の端部を挟み込むことにより、アロマ線香を固定する。なお、キーリング７の形状は二重螺旋状のものに限られず、アロマ線香を固定し得る任意のものが用いられ得る。
【００３２】
　図２Ｂは、アロマ線香固定具６のキーリング７にチェーン９及び装飾具１０を付加した状態を示す。装飾的効果を高めるため、キーリング７には市販のキーホルダーと同様に、チェーン９を介して装飾具１０が接続されていてもよい。装飾具１０の形状には、ハート型、星型又は蝶をかたどったものなど、任意の形状が用いられる。
【００３３】
　図３は、アロマ線香用容器１とアロマ線香固定具６を組み合わせて販売する場合の陳列例を示す。図３において、アロマ線香固定具６は紐８によりアロマ線香用容器１に引っ掛けられており、キーリング７がアロマ線香用容器１の側面部３に重なった状態でぶら下がっている。
【００３４】
　図４は、アロマ線香用容器１とアロマ線香固定具６を使用して香を焚く状態を示す。理解を容易にするため、図３において、アロマ線香用容器１は断面図により示されており、斜線部分はアロマ線香用容器１の断面を表す。
【００３５】
　図４において、アロマ線香１１の終端部１２は、アロマ線香固定具６のキーリング７の二重になった金属により挟み込まれて固定されている。終端部１２がキーリング７により固定された状態でアロマ線香１１の先端部１３に点火し、アロマ線香１１を先端部１３を下にして挿入口２より挿入すると、キーリング７が挿入口２に引っ掛かって図４のような状態となる。
【００３６】
　図４の状態においては、アロマ線香１１の先端部１３から発生した芳香を伴う煙は、アロマ線香用容器１の挿入口２及び開口部５ａ，５ｂから放出される。アロマ線香１１の燃焼が進むにつれ、燃焼位置は先端部１３から終端部１２に近くなるため、挿入口２から芳香が放出される割合は開口部５ａ，５ｂから芳香が放出される割合よりも高くなる。
【００３７】
　市販のアロマ線香を使用して実験を行ったところ、アロマ線香用容器１をガラス製にし、挿入口２から底部４までの距離を２８センチメートル以上にした場合に、良好な使用感が得られた。また、開口部５の数は二つ以上が好ましく、開口部５の直径は３〜８ミリメートル程度が適切である。さらに、開口部５の位置は底部４から５〜１０センチメートル程度の高さにすることが望ましい。開口部５の位置を底部４から５センチメートル未満の高さとした場合、開口部５から出た煙がアロマ線香用容器１を置いたテーブル等を汚してしまうおそれがあるからである。
【００３８】
　なお、挿入口２から底部４までの距離が３５センチメートル以上の場合には、開口部５の位置を底部４から１０〜１５センチメートル程度の高さにした方が、アロマ線香１１の燃焼が良く進むことが判明している。
【００３９】
　また、キーリング７の外周の直径は、アロマ線香用容器１の挿入口２の内周の直径と同一であることが望ましい。キーリング７の外周の直径が、アロマ線香用容器１の挿入部２の内周の直径に比して余りに大きい場合には、アロマ線香１１がアロマ線香用容器１の外に抜けてしまったり、アロマ線香１１の先端部１３がアロマ線香用容器１の側面部３に接触するなどの問題が生ずるからである。
【実施例２】
【００４０】
　図５Ａ乃至図５Ｃは、アロマ線香用容器１と組み合わせて使用可能な別のアロマ線香固定具１４を示す。アロマ線香固定具１４は、アロマ線香の終端部を把持するための開閉可能な把持部１５に、把持部１５を操作するための操作部１６ａ，１６ｂがそれぞれ接合された支持部１７ａ，１７ｂを接合したものである。ここで、支持部１７ａの終端から支持部１７ｂの終端までの最大距離は、使用すべきアロマ線香用容器１の挿入口２の外周の直径よりも大きい。なお、図５Ａは把持部１５が閉じた状態を示し、図５Ｂは把持部１５が開いた状態を示している。
【００４１】
　図５に示す例においては、把持部１５として市販のヘアピン等に使用されるクリップが使用されているが、把持部１５にはアロマ線香の終端部を把持可能な任意の部材が用いられ得る。また、装飾的効果を高めるため、把持部１５、操作部１６ａ，１６ｂ及び支持部１７ａ，１７ｂには任意の装飾的形状が用いられ、任意の装飾が施され得る。把持部１５、操作部１６ａ，１６ｂ及び支持部１７ａ，１７ｂの材質は任意である。例えば、把持部１５には金属が、操作部１６ａ，１６ｂ及び支持部１７ａ，１７ｂにはプラスチックがそれぞれ用いられる。
【００４２】
　図６は、アロマ線香用容器１とアロマ線香固定具１４を使用して香を焚く状態を示す断面図である。
【００４３】
　アロマ線香固定具１４を使用して香を焚く場合には、まず手指により操作部１６ａ，１６ｂに力を加えて把持部１５を開き、把持部１５によりアロマ線香１１の終端部１２を挟む。次に、アロマ線香１１の先端部１３に点火し、アロマ線香１１を先端部１３を下にしてアロマ線香用容器１の挿入口２より挿入する。すると、支持部１７ａ，１７ｂがそれぞれアロマ線香用容器１の挿入口２に係合して図６の状態になる。
【００４４】
　図６の状態において、アロマ線香１１の先端部１３から発生した芳香を伴う煙がアロマ線香用容器１の挿入口２及び開口部５ａ，５ｂから放出されるのは、上述した図４の状態と同様である。
【００４５】
　図７は、アロマ線香用容器１とアロマ線香固定具１４を使用して香を焚く状態を示す外観図である。図７に示す通り、操作部１６ａ，１６ｂはアロマ線香用容器１の挿入口２を覆い隠してアロマ線香用容器１の上部に位置することになるため、操作部１６ａ，１６ｂの形状及び操作部１６ａ，１６ｂに施された装飾は、アロマ線香用容器１とアロマ線香固定具１４の使用状態の美観に大きな影響を与える。
【実施例３】
【００４６】
　図８Ａは、アロマ線香用容器１と組み合わせて使用可能な別のアロマ線香固定具１８を示す。アロマ線香固定具１８は、アロマ線香用容器１の挿入口２に嵌合し得る栓であり、４つの通気孔１９ａ〜１９ｄが設けられている。アロマ線香固定具１８の直径は、挿入口２の内周の直径と同一か、挿入口２の内周の直径よりも僅かに大きい。図８Ａにおいては、アロマ線香固定具１８に設けられている通気孔の数は４であるが、アロマ線香固定具１８には一以上の任意の数の通気孔が設けられ得る。
【００４７】
　図８Ｂは、アロマ線香固定具１８の上面図であり、図８Ｃは、アロマ線香固定具１８の下面図である。図８Ｂ及び図８Ｃに示される通り、アロマ線香固定具１８に設けられた４つの通気孔１９ａ〜１９ｄは、アロマ線香固定具１８の上面から下面まで続いており、これによりアロマ線香固定具１８の上面と下面の空気を入れ替えることを可能にしている。また、図８Ｃに示される通り、アロマ線香固定具１８の下面にはアロマ線香固定用穴２０も設けられている。
【００４８】
　図９Ａは、アロマ線香用容器１と組み合わせて使用可能な別のアロマ線香固定具２１を示す。アロマ線香固定具２１は、アロマ線香固定具１８と同様にアロマ線香用容器１の挿入口２に嵌合し得る栓であるが、一以上の通気孔が外周部分に設けられている点においてアロマ線香固定具１８と異なる。なお、アロマ線香固定具２１の直径は、挿入口２の内周の直径と同一か、挿入口２の内周の直径よりも僅かに大きい。図９Ａにおいては、アロマ線香固定具２１に設けられている通気孔の数は８であるが、アロマ線香固定具２１には一以上の任意の数の通気孔が設けられ得る。
【００４９】
　図９Ｂは、アロマ線香固定具２１の上面図であり、図９Ｃは、アロマ線香固定具２１の下面図である。図９Ｂ及び図９Ｃに示される通り、アロマ線香固定具２１の外周部分に設けられた８つの通気孔２２ａ〜２２ｈは、アロマ線香固定具２１の外周部分に沿って上面から下面まで続いており、これによりアロマ線香固定具１８の上面と下面の空気を入れ替えることを可能にしている。図９Ｃに示される通り、アロマ線香固定具２１の下面にはアロマ線香固定用穴２３も設けられている。
【００５０】
　アロマ線香固定具１８，２１の材質は任意であるが、アロマ線香用容器１の挿入口２に嵌合して固定されるよう、コルク製又はプラスチック製であることが望ましい。なお、アロマ線香固定具１８の通気孔１９ａ〜１９ｄのように栓の内側に設けた一以上の通気孔と、アロマ線香固定具２１の通気孔２２ａ〜２２ｈのように栓の外周に設けた一以上の通気孔のいずれをも有するアロマ線香固定具も用いられ得る。前記において、栓の内側とはアロマ線香用容器１の挿入口２に接しない部分を指し、栓の外周とはアロマ線香用容器１の挿入口２に接する部分を指す。
【００５１】
　図１０は、アロマ線香用容器１とアロマ線香固定具１８を使用して香を焚く状態を示す断面図である。
【００５２】
　アロマ線香固定具１８を使用して香を焚く場合には、まずアロマ線香固定用穴２０にアロマ線香１１の終端部１２を挿入してこれを固定する。次に、アロマ線香１１の先端部１３に点火し、アロマ線香１１を先端部１３を下にしてアロマ線香用容器１の挿入口２より挿入する。アロマ線香固定具１８がアロマ線香用容器１の挿入口２に嵌合して安定するまでアロマ線香固定具１８に上方から力を加えると、図１０の状態になる。
【００５３】
　図１０の状態においては、アロマ線香１１の先端部１３から発生した芳香を伴う煙は、アロマ線香用容器１の開口部５ａ，５ｂ及びアロマ線香固定具１８の通気孔１９ａ〜１９ｄから放出される。アロマ線香１１の燃焼が進むにつれ、燃焼位置は先端部１３から終端部１２に近くなるため、通気孔１９ａ〜１９ｄから芳香が放出される割合は開口部５ａ，５ｂから芳香が放出される割合よりも高くなる。
【００５４】
　アロマ線香固定具２１をアロマ線香用容器１と組み合わせて香を焚く方法については、図１０を参照して上述した方法と同様であるため説明を省略する。アロマ線香固定具１８，２１に通気孔１９ａ〜１９ｄ，２２ａ〜２２ｈをそれぞれ設けた理由は、アロマ線香１１の燃焼に必要な酸素を外気から十分に取り入れるためには、上部に通気孔が必要だからである。
【００５５】
　アロマ線香固定具１８，２１は、これにアロマ線香１１を挿入し、アロマ線香用容器１の挿入口２に嵌合した図１０に示す状態で、アロマ線香セットとして販売することができる。なお、アロマ線香固定具１８，２１の形状は図８Ａ乃至図９Ｃに示すものには限られず、通気孔を有する栓であれば任意の形状が用いられ得る。
【００５６】
　以上に述べた実施例１乃至３は、アロマ線香を葬祭用線香、防虫用線香その他の各種線香に置き換えた場合にも応用され得ることは自明である。
【産業上の利用可能性】
【００５７】
　アロマテラピーの方法の一つである、精油を配合したアロマ線香に点火して香を焚く方法に適用できる。
【図面の簡単な説明】
【００５８】
【図１】本考案によるアロマ線香用容器の外観図である。
【図２Ａ】図１のアロマ線香用容器と共に使用されるアロマ線香固定具を示す図である。（実施例１）
【図２Ｂ】アロマ線香固定具のキーリングにチェーン及び装飾具を付加した状態を示す図である。（実施例１）
【図３】アロマ線香用容器とアロマ線香固定具を組み合わせて販売する場合の陳列例を示す図である。（実施例１）
【図４】アロマ線香用容器とアロマ線香固定具を使用して香を焚く状態を示す図である。（実施例１）
【図５Ａ】アロマ線香用容器と組み合わせて使用可能な別のアロマ線香固定具を示す図である。（実施例２）
【図５Ｂ】アロマ線香用容器と組み合わせて使用可能な別のアロマ線香固定具を示す図である。（実施例２）
【図５Ｃ】アロマ線香用容器と組み合わせて使用可能な別のアロマ線香固定具を示す図である。（実施例２）
【図６】アロマ線香用容器とアロマ線香固定具を使用して香を焚く状態を示す断面図である。（実施例２）
【図７】アロマ線香用容器とアロマ線香固定具を使用して香を焚く状態を示す外観図である。（実施例２）
【図８Ａ】アロマ線香用容器と組み合わせて使用可能な別のアロマ線香固定具を示す図である。（実施例３）
【図８Ｂ】アロマ線香固定具の上面図である。（実施例３）
【図８Ｃ】アロマ線香固定具の下面図である。（実施例３）
【図９Ａ】アロマ線香用容器と組み合わせて使用可能な別のアロマ線香固定具を示す図である。（実施例３）
【図９Ｂ】アロマ線香固定具の上面図である。（実施例３）
【図９Ｃ】アロマ線香固定具の下面図である。（実施例３）
【図１０】アロマ線香用容器とアロマ線香固定具を使用して香を焚く状態を示す断面図である。（実施例３）
【図１１】従来のアロマ線香用の固定具を示す図である。
【図１２】従来のアロマ線香用の固定具を示す図である。
【図１３】従来のアロマ線香用の固定具を示す図である。
【符号の説明】
【００５９】
　１　　アロマ線香用容器
　２　　挿入口
　３　　側面部
　４　　底部
　５，５ａ，５ｂ　開口部
　６，１４，１８，２１　アロマ線香固定具
　７　　キーリング
　８　　紐
　９　　チェーン
　１０　装飾具
　１１，３１，３３，３５　アロマ線香
　１２，３７　終端部
　１３　先端部
　１５　把持部
　１６ａ，１６ｂ　操作部
　１７ａ，１７ｂ　支持部
　１９ａ〜１９ｄ，２２ａ〜２２ｈ　通気孔
　２０，２３，３６　アロマ線香固定用穴
　３２，３４　受け皿
【図１】
0003100536.tif 000003
【図２Ａ】
0003100536.tif 000004
【図２Ｂ】
0003100536.tif 000005
【図３】
0003100536.tif 000006
【図４】
0003100536.tif 000007
【図５Ａ】
0003100536.tif 000008
【図５Ｂ】
0003100536.tif 000009
【図５Ｃ】
0003100536.tif 000010
【図６】
0003100536.tif 000011
【図７】
0003100536.tif 000012
【図８Ａ】
0003100536.tif 000013
【図８Ｂ】
0003100536.tif 000014
【図８Ｃ】
0003100536.tif 000015
【図９Ａ】
0003100536.tif 000016
【図９Ｂ】
0003100536.tif 000017
【図９Ｃ】
0003100536.tif 000018
【図１０】
0003100536.tif 000019
【図１１】
0003100536.tif 000020
【図１２】
0003100536.tif 000021
【図１３】
0003100536.tif 000022